(57)【要約】      （修正有）【課題】枚数番号を印刷すべきスペースを印刷面に確保することができなくなることを防止する。【解決手段】記録シートに印刷すべき画像を、枚数番号が印刷される領域外に移動して印刷する。これにより、枚数番号を印刷すべきスペースを確実に確保することができ、印刷番号を印刷面に確保することができなくなるという問題を解決できる。また、枚数番号を印刷面のいずれの位置に印刷するかを選択する選択手段を備えているので、利用者が望む位置に枚数番号を印刷することができる。【選択図】図７
2010211812.tif 000002
【特許請求の範囲】
【請求項１】
記録シートの印刷面に画像を印刷するプリンタと、
前記プリンタが接続されたコンピュータと、
記録シート毎に異なる番号にて構成された枚数番号を前記印刷面に印刷する枚数番号印刷手段と、
前記記録シートに印刷すべき画像を、前記枚数番号が印刷される領域外に印刷する移動手段と
を備えることを特徴とする印刷制御システム。
【請求項２】
前記印刷面のいずれの位置に前記枚数番号を印刷するかを選択する選択手段を備えることを特徴とする請求項１に記載の印刷制御システム。
【請求項３】
前記枚数番号印刷手段は、記録シートに印刷すべき画像に含まれる文字のうち少なくとも１つの文字の書体と異なる書体にて前記枚数番号を印刷することを特徴とする請求項１又は２に記載の印刷制御システム。
【請求項４】
前記プリンタはカラー印刷が可能であり、
さらに、前記枚数番号印刷手段は、記録シートに印刷すべき画像に含まれる文字のうち少なくとも１つの文字の色と異なる色にて前記枚数番号を印刷することを特徴とする請求項１ないし３のいずれか１つに記載の印刷制御システム。
【請求項５】
記録シートの印刷面に画像を印刷するプリンタであって、
前記プリンタが接続されたコンピュータと、
記録シート毎に異なる番号にて構成された枚数番号を前記印刷面に印刷する枚数番号印刷手段と、
前記記録シートに印刷すべき画像を、前記枚数番号が印刷される領域外に印刷する移動手段と
を備えることを特徴とするプリンタ。
【請求項６】
記録シートの印刷面に画像を印刷するプリンタを制御するコンピュータに組み込まれるプリンタ制御用プログラムであって、
前記コンピュータを
記録シート毎に異なる番号にて構成された枚数番号を前記印刷面に印刷する枚数番号印刷手段、及び
前記記録シートに印刷すべき画像を、前記枚数番号が印刷される領域外に印刷する移動手段
として機能させることを特徴とするプリンタ制御プログラム。
【発明の詳細な説明】
【技術分野】
【０００１】
本発明は、記録用紙等の記録シートに画像を印刷するためのものであり、具体的には、印刷制御システム、プリンタ及びプリンタ制御用プログラムに関する。
【背景技術】
【０００２】
文章データ等の画像データは、文書データを作成する際に、ワードプロセッサ等の文書作成用応用ソフト（アプリケーションソフト）にてページ（以下、このページを原稿ページという。）が設定されており、通常、アプリケーションソフトにて設定された原稿ページ単位に画像データが記録シートに印刷されていく。
【０００３】
このとき、記録シートに画像データと共に原稿ページの番号（原稿ページ番号という。）を印刷することができるが、例えば１枚の記録シートに原稿ページで２ページ分の画像データを印刷する場合においては、記録シートに印刷された原稿ページ番号と画像が印刷された記録シートの枚数を示す枚数番号とが一致しなくなるので、例えば特許文献１に記載の発明では、原稿ページ番号に加えて、枚数番号も記録シートに印刷している。
【先行技術文献】
【特許文献】
【０００４】
【特許文献１】特開２００３−９１５２０号公報
【発明の概要】
【発明が解決しようとする課題】
【０００５】
しかし、原稿ページ番号に加えて、枚数番号を単純に記録シートに印刷すると、以下に述べるような問題が発生する。  すなわち、本来、記録シートに印刷すべき画像データが大きい場合には、記録シートの印刷面の全域を、画像データを印刷すべき領域として印刷するので、枚数番号を印刷すべきスペースを印刷面に確保することができなくなるという問題が発生する。以下、この問題を第１の解決課題という。
【０００６】
本発明は、上記点に鑑み、上記第１の解決課題を解決することを目的とする。
【課題を解決するための手段】
【０００７】
本発明は、上記目的を達成するために、請求項１に記載の発明では、記録シートの印刷面に画像を印刷するプリンタと、プリンタが接続されたコンピュータと、記録シート毎に異なる番号にて構成された枚数番号を印刷面に印刷する枚数番号印刷手段と、記録シートに印刷すべき画像を、枚数番号が印刷される領域外に印刷する移動手段とを備えることを特徴とする。
【０００８】
これにより、請求項１に記載の発明では、枚数番号を印刷すべきスペースを確実に確保することができるので、上記第１の解決課題を解決することができる。
請求項２に記載の発明では、印刷面のいずれの位置に枚数番号を印刷するかを選択する選択手段を備えることを特徴とする。
【０００９】
これにより、請求項２に記載の発明では、利用者の設定入力に基づいて、枚数番号を印刷面のいずれかの位置に印刷させることができるので、利用者が望む位置に枚数番号を印刷することができる。
【００１０】
請求項３に記載の発明では、枚数番号印刷手段は、記録シートに印刷すべき画像に含ま
れる文字のうち少なくとも１つの文字の書体と異なる書体にて枚数番号を印刷することを特徴とする。
【００１１】
これにより、請求項３に記載の発明では、利用者は、記録シートに印刷された枚数番号と画像とを容易に区別するができる。
請求項４に記載の発明では、プリンタはカラー印刷が可能であり、さらに、枚数番号印刷手段は、記録シートに印刷すべき画像に含まれる文字のうち少なくとも１つの文字の色と異なる色にて枚数番号を印刷することを特徴とする。
【００１２】
これにより、請求項４に記載の発明では、利用者は、記録シートに印刷された枚数番号と画像とを容易に区別するができる。
【００１３】
請求項５に記載の発明では、記録シートの印刷面に画像を印刷するプリンタであって、プリンタが接続されたコンピュータと、記録シート毎に異なる番号にて構成された枚数番号を印刷面に印刷する枚数番号印刷手段と、記録シートに印刷すべき画像を、枚数番号が印刷される領域外に印刷する移動手段とを備えることを特徴とする。
【００１４】
これにより、請求項５に記載の発明では、枚数番号を印刷すべきスペースを確実に確保することができるので、上記第１の解決課題を解決することができる。
【００１５】
請求項６に記載の発明では、記録シートの印刷面に画像を印刷するプリンタを制御するコンピュータに組み込まれるプリンタ制御用プログラムであって、コンピュータを記録シート毎に異なる番号にて構成された枚数番号を印刷面に印刷する枚数番号印刷手段、及び記録シートに印刷すべき画像を、枚数番号が印刷される領域外に印刷する移動手段として機能させることを特徴とする。
【００１６】
これにより、請求項６に記載の発明では、枚数番号を印刷すべきスペースを確実に確保することができるので、上記第１の解決課題を解決することができる。
【図面の簡単な説明】
【００１７】
【図１】本実施形態に係る印刷制御システムの概要を示す図である。
【図２】本実施形態に係る印刷設定画面（印刷ダイアログ）１００の一例を示す図である。
【図３】本発明の第１実施形態に係る枚数番号の設定画面２００の一例を示す図である。
【図４】本発明の実施形態に係る警告メッセージの一例を示す図である。
【図５】枚数番号印刷の設定を利用者が行う際の利用者の作業手順を示した工程表である。
【図６】本発明の第１実施形態に係る印刷制御フローの概略を示すフローチャートである。
【図７】本発明の第２実施形態に係る枚数番号の設定画面２００の一例を示す図である。
【図８】本発明の第２実施形態に係る印刷制御フローの概略を示すフローチャートである。
【図９】本発明の第３実施形態に係る印刷制御フローの概略を示すフローチャートである。
【図１０】本発明の第４実施形態に係る枚数番号の設定画面２００の一例を示す図である。
【図１１】本発明の第４実施形態に係る枚数番号のフォント設定画面４００の一例を示す図である。
【図１２】本発明の第４実施形態に係る印刷制御フローの概略を示すフローチャートである。
【発明を実施するための形態】
【００１８】
以下に本発明の実施形態を図面と共に説明する。
（第１実施形態）
図１は、本実施形態に係る印刷制御システムの概要を示す図であり、この印刷制御システムは、コンピュータ１０及びプリンタ２０等から構成されている。以下、図１に基づいて本実施形態に係る印刷制御システムの構成を説明する。
【００１９】
コンピュータ１０（以下、コンピュータ１０をＰＣ１０と記す。）は、表示部１１、操作部１２、ＣＰＵ１３、ＲＯＭ１４、ＲＡＭ１５及びＨＤＤ１６等の記憶手段、並びにプリンタ２０を接続するプリンタポートインタフェース１７等を有して構成された情報処理装置である。
【００２０】
そして、表示部１１は、画像及び文字を表示するＬＣＤやＣＲＴ等にて構成され、操作部１２は、表示部１１の特定部位を指し示すポインタ（図示せず）を移動させるマウス（図示せず）等のポインティング手段及びキーボード（図示せず）等にて構成されている。
【００２１】
また、プリンタ２０は、プリンタ２０に備える機能を選択等するための操作キー２１、操作内容や作業状況等を表示する表示パネル２２、記録シート等の被記録媒体に文字や画像等を印刷する印刷部２３、ＣＰＵ２４、ＲＯＭ２５、ＲＡＭ２６及びＨＤＤ２７等から構成されている。
【００２２】
因みに、不揮発性ＲＡＭ２８は、電力の供給が停止した場合であっても記憶された内容を保持することが可能な記憶手段であり、プリンタポートインタフェース２９は、プリンタ２０をＬＡＮを介さずにＰＣ１０に直接接続するための接続手段である。
【００２３】
なお、本実施形態に係るプリンタ２０（印刷部２３）は、記録シートの表裏両面に印刷を可能とする両面印刷機能を備える画像形成装置である。
２．印刷制御用プログラム（印刷制御システム）の作動
本実施形態に係る印刷制御プログラム（プリンタドライバ）は、ＰＣ１０にインストールされて（組み込まれて）印刷制御システムを制御するものであり、このＰＣ１０には、プリンタドライバに加えてワードプロセッサ等のアプリケーションソフトがインストールされている。
【００２４】
因みに、本実施形態では、ＰＣ１０のＯＳ（Ｏｐｅｒａｔｉｎｇ  Ｓｙｓｔｅｍ）としてＷｉｎｄｏｗｓ（登録商標）を用いており、以下、特に説明（定義）が無い用語は、Ｗｉｎｄｏｗｓにおける一般的な意味にて用いる。
【００２５】
２．１．枚数番号印刷の設定
本実施形態に係るプリンタドライバの特徴は、記録シートの印刷面のうち画像が印刷される印刷面と反対側の印刷面に枚数番号を印刷する機能を備えることを特徴とするものである。
【００２６】
ここで、枚数番号とは、記録シート毎に異なる番号にて構成された番号をいい、画像が印刷された記録シートの枚数を表す番号である。したがって、例えば、４ページ分の画像を記録シート１枚当たり２ページ分ずつ印刷した場合には、１〜２ページ分の画像が印刷されている記録シートの枚数番号は「１」となり、３〜４ページ分の画像が印刷されている記録シートの枚数番号は「２」となる。
【００２７】
そして、図２はプリンタドライバを起動したとき、又はアプリケーションソフトを介して印刷指令を発したときに開くことができる印刷設定画面（印刷ダイアログ）１００の一例を示す図であり、図２に示すように、印刷設定画面１００には、印刷を実行する際に記録シートに枚数番号を印刷するか否かを選択するための枚数番号チェックボックス１０１が設けられている。
【００２８】
なお、本実施形態では、枚数番号チェックボックス１０１が選択されて「レ」が表示されて、その旨がＨＤＤ１６又はＲＡＭ１５等の記憶手段に記憶されている状態（以下、この状態を「枚数番号印刷が有効化されている」という。）で印刷指令がされたときに、記録シートに枚数番号が印刷され、一方、枚数番号印刷が有効化されていない状態で印刷指令がされたときには、記録シートに枚数番号が印刷されない。
【００２９】
また、詳細設定ボタン１０２は、枚数番号の印刷位置等を設定するための枚数番号設定画面２００を起動（表示）させる手段であり、原稿ページ番号チェックボックス１０３は原稿ページ番号を印刷するか否かを選択するための手段である。
【００３０】
そして、図３は枚数番号の設定画面２００の一例を示す図であり、図３に示すように、枚数番号の設定画面２００には、アプリケーションソフトにて設定された原稿ページの番号（以下、原稿ページ番号という。）、及び枚数番号の印刷位置を設定するための位置設定部２１０、並びに位置設定部２１０にて設定された原稿ページ番号及び枚数番号が、実際に印刷されたときの印刷イメージを表示するイメージ表示部２２０が設けられている。
【００３１】
位置設定部２１０のうち原稿ページ番号設定部２１１は、利用者の設定入力に基づいて、原稿ページ番号を記録シートのいずれの位置に印刷するかを選択する手段であり、位置設定部２１０のうち第１設定部２１２は、利用者の設定入力に基づいて、枚数番号が印刷される印刷面のいずれの位置に枚数番号を印刷するかを選択する手段である。
【００３２】
また、位置設定部２１０のうち第２設定部２１３は、利用者の設定入力に基づいて、枚数番号を記録シートの表裏両面のいずれの印刷面に印刷するかを選択する手段である。第１イメージ表示部２２１は、表面の印刷イメージを表示する手段であり、第２イメージ表示部２２２は、裏面のイメージを表示する手段である。
【００３３】
なお、ＯＫボタン２３０は設定内容を保存した後、設定画面２００を閉じる手段であり、キャンセルボタン２３１は設定内容を保存することなく、設定画面２００を閉じる手段である。
【００３４】
そして、本実施形態では、記録シートに印刷すべき画像（以下、原稿画像という。）が印刷される印刷面に枚数番号を印刷することが選択された場合において、枚数番号が印刷される位置と原稿ページ番号が印刷される位置とが重なるように選択されたときには、例えば図４に示すような警告メッセージが利用者に対して発せられ、上記選択による枚数番号及び原稿ページ番号の印刷位置の設定が禁止される。
【００３５】
因みに、図５は、枚数番号印刷の設定を行う場合における利用者の作業手順を示した工程表であり、枚数番号印刷の設定を行うには、利用者は、先ず、印刷設定画面１００を開いて（Ｓ１）、枚数番号チェックボックス１０１を選択して枚数番号印刷を有効化する（Ｓ２）。
【００３６】
次に、利用者は、詳細設定ボタン１０２を選択して枚数番号の設定画面２００を開いて（Ｓ３）、原稿ページ番号及び枚数番号の印刷位置等を設定した後（Ｓ４）、記録シート
のサイズや印刷時の解像度等のその他の設定を行って印刷設定を終了させる（Ｓ５）。
【００３７】
２．２．印刷制御
図６は、利用者により原稿の印刷指令が発せられたときに起動される印刷制御の概略を示すフローチャートである。
【００３８】
例えば、アプリケーションソフトを介して原稿の印刷指令が発せられると、先ず、アプリケーションソフトにて作成された原稿画像に基づいて、プリンタ２０にて実行可能なＰＤＬ形式等の印刷データが作成された後（Ｓ２０）、枚数番号印刷が有効化されているか否かが判定される（Ｓ２５）。枚数番号印刷が有効化されているか否かは、印刷設定画面１００の枚数番号チェックボックス１０１（図２参照）がチェックされているか否かによって判定される。
【００３９】
そして、枚数番号印刷が有効化されていると判定された場合には（Ｓ２５：ＹＥＳ）、Ｓ２０にて作成された印刷データに枚数番号が追加された印刷データが作成され（Ｓ３０）、その枚数番号が追加された印刷データがプリンタポートインタフェース１７を介してプリンタ２０に送信される（Ｓ３５）。
【００４０】
一方、枚数番号印刷が有効化されていないと判定された場合には（Ｓ２５：ＮＯ）、枚数番号が追加されることなく、Ｓ２０にて作成された印刷データがプリンタポートインタフェース１７を介してプリンタ２０に送信される（Ｓ３５）。
【００４１】
以上、印刷制御によってプリンタ２０に送信された印刷データは、プリンタポートインタフェース２９を介してプリンタ２０に受信され、印刷部２３によって記録シートに印刷される。
【００４２】
なお、両面印刷モードの設定は、印刷設定画面１００の基本設定（図２参照）が選択（クリック）されることにより表示される画面（図示せず）上にて設定することができ、この設定内容に基づいて、片面印刷が設定されているか両面印刷が設定されているかが判定される。
【００４３】
３．本実施形態に係る印刷制御システム（プリンタドライバ）の特徴
本実施形態では、記録シートの印刷面のうち、原稿画像が印刷される印刷面が片面のみの場合、原稿画像が印刷される印刷面と反対側の印刷面に枚数番号を印刷すれば、枚数番号を印刷すべきスペースを確実に確保することができ、上記第１の解決課題を解決することができる。
【００４４】
また、原稿画像が印刷される印刷面に枚数番号を印刷することが選択された場合において、枚数番号が印刷される位置と原稿ページ番号が印刷される位置とが重なるように選択されたときには警告が発せられ、上記選択による枚数番号及び原稿ページ番号の印刷位置の設定が禁止されるので、枚数番号が印刷される位置と原稿ページ番号が印刷される位置とが重なった状態で印刷ジョブが実行されてしまうことを未然に防止できる。
【００４５】
また、利用者の設定入力に基づいて、枚数番号又は原稿ページ番号を印刷面のいずれの位置に印刷させることができるので、利用者が望む位置に枚数番号を印刷することができる。
【００４６】
４．発明特定事項と実施形態との対応関係
本実施形態では、枚数番号チェックボックス１０１により請求項１に記載された枚数番号印刷手段が構成され、第１設定部２１２が特許の範囲に記載された選択手段に相当する
。
【００４７】
なお、上記の第１実施形態に係る説明では、枚数番号が印刷される位置と原稿ページ番号が印刷される位置とが重なるように、図３の設定画面２００で設定されたとき、図４に示すような警告メッセージが発せられたが、本実施形態はこれに限定されるものではなく、重なるような選択をさせないようにしてもよい。
【００４８】
つまり、枚数番号が印刷される位置と原稿ページ番号が印刷される位置とが重なる場合には、例えば、いずれかの番号の位置をチェックしたときには、他方の番号の位置のチェックボックスのうち、重なるような設定となってしまうチェックボックスの表示をグレー表示して選択できないようにしてもよい。
【００４９】
（第２実施形態）
第１実施形態では、記録シートの表面、裏面のうち、枚数番号を印刷する面を選択できる構成をとったので、両面印刷機構を有するプリンタを必須とする印刷制御システムであったが、本実施形態は、片面のみ印刷可能なプリンタを備える印刷制御システムであっても適用可能なものである。
【００５０】
すなわち、片面のみ印刷可能なプリンタ２０では、第１実施形態のように裏面側に枚数番号を印刷することができないので、原稿画像が印刷される領域が大きい場合には、枚数番号が印刷される位置と原稿ページ番号が印刷される位置とが重ならないように設定することができない可能性が高くなる。
【００５１】
そこで、本実施形態では、枚数番号を印刷しないときの原稿画像に比べて枚数番号を印刷する際の原稿画像を縮小する、又は枚数番号を印刷する際の原稿画像の印刷位置を、枚数番号を印刷しないときの原稿画像の印刷位置に対して移動させることにより、枚数番号を印刷すべきスペースを確保するようにしたものである。以下に、本実施形態の詳細を説明する。
【００５２】
１．枚数番号の設定画面
図７は、本実施形態に係る枚数番号の設定画面２００の一例を示す図であり、本実施形態に係る枚数番号の設定画面２００には、第２設定部２１３に代えて、枚数番号が印刷される位置と原稿ページ番号が印刷される位置とが重なってしまう場合に行う処理を選択する手段として、記録シートに印刷すべき原稿画像を縮小又は移動させるか否かの設定をするための加工設定部２１４が設けられている。
【００５３】
そして、加工設定部２１４には、３種類の設定部２１４Ａ〜２１４Ｃが設けられており、第１加工設定部２１４Ａは、枚数番号を印刷しないときの原稿画像に比べて枚数番号を印刷する際の原稿画像を縮小して印刷させるか否かの選択をするための手段であり、第２加工設定部２１４Ｂは、枚数番号を印刷する際の原稿画像の印刷位置を、枚数番号を印刷しないときの原稿画像の印刷位置に対して移動させるか否かの選択をするための手段である。
【００５４】
また、第３加工設定部２１４Ｃは、記録シートの縦横比が√２：１となる場合には、自動的に原稿画像を縮小して印刷させるか否かの選択をするための設定手段であり、記録シートの縦横比が√２：１であるか否かの判定は、本実施形態では、印刷用の記録シートとして設定されている用紙サイズに基づいて判定される。
【００５５】
具体的には、印刷用の記録シートが、Ａサイズ又はＢサイズ等のように、縦横比の規格が√２：１である記録シートが印刷用の記録シートとして選択されている場合には、記録
シートの縦横比が√２：１であると判定される。
【００５６】
なお、図７に示す第１イメージ表示部２２１には、枚数番号が印刷される位置と原稿ページ番号が印刷される位置とが重ならないように原稿画像に縮小処理を施したときの記録シートの表面の印刷イメージが表示されている。
【００５７】
２．印刷制御
図８は、本実施形態において、利用者により原稿の印刷指令が発せられたときに起動される印刷制御の概略を示すフローチャートである。
【００５８】
例えば、アプリケーションソフトを介して原稿の印刷指令が発せられると、先ず、アプリケーションソフトにて作成された原稿画像に基づいて印刷データが作成された後（Ｓ５０）、枚数番号印刷が有効化されているか否かが判定される（Ｓ５５）。枚数番号印刷が有効化されているか否かは、印刷設定画面１００の枚数番号チェックボックス１０１（図２参照）がチェックされているか否かによって判定される。
【００５９】
そして、枚数番号印刷が有効化されていると判定された場合には（Ｓ５５：ＹＥＳ）、第１加工設定部２１４Ａの機能が有効化されているか、つまり原稿画像を縮小して印刷させる旨が選択されているか否かが判定される（Ｓ６０）。
【００６０】
このとき、第１加工設定部２１４Ａが有効化されていると判定された場合には（Ｓ６０：ＹＥＳ）、原稿画像が縮小加工され（Ｓ８５）その加工された印刷データに枚数番号が追加された印刷データが作成された後（Ｓ７５）、枚数番号が追加された印刷データがプリンタ２０に送信される（Ｓ８０）。
【００６１】
一方、第１加工設定部２１４Ａが有効化されていないと判定された場合には（Ｓ６０：ＮＯ）、第２加工設定部２１４Ｂの機能が有効化されているか、つまり原稿画像を移動させて印刷させる旨が選択されているか否かが判定される（Ｓ６５）。
【００６２】
そして、第２加工設定部２１４Ｂの機能が有効化されていると判定された場合には（Ｓ６５：ＹＥＳ）、原稿画像が移動加工され（Ｓ９０）、その加工された印刷データに枚数番号が追加された印刷データが作成された後（Ｓ７５）、枚数番号が追加された印刷データがプリンタ２０に送信される（Ｓ８０）。
【００６３】
また、第２加工設定部２１４Ｂの機能が有効化されていないと判定された場合には（Ｓ６５：ＮＯ）、第３加工設定部２１４Ｃの機能が有効化されているか、つまり原稿画像を自動的に縮小させて印刷させる旨が選択されているか否かが判定される（Ｓ７０）。
【００６４】
そして、第３加工設定部２１４Ｃの機能が有効化されていると判定された場合には（Ｓ７０：ＹＥＳ）、印刷用の記録シートの縦横比が√２：１であるか否かが判定され（Ｓ９５）、縦横比が√２：１であると判定された場合には（Ｓ９５：ＹＥＳ）、原稿画像が縮小加工された後（Ｓ１００）、その加工された印刷データに枚数番号が追加された印刷データが作成された後（Ｓ７５）、枚数番号が追加された印刷データがプリンタ２０に送信される（Ｓ８０）。
【００６５】
一方、縦横比が√２：１でないと判定された場合には（Ｓ９５：ＮＯ）、印刷データが加工されることなく枚数番号が追加された後（Ｓ７５）、枚数番号が追加された印刷データがプリンタ２０に送信される（Ｓ８０）。
【００６６】
なお、Ｓ５５にて枚数番号印刷が有効化されていないと判定された場合には（Ｓ５５：
ＮＯ）、枚数番号が追加されることなく、Ｓ５０にて作成された印刷データがプリンタ２０に送信される（Ｓ８０）。
【００６７】
３．本実施形態に係る印刷制御システムの特徴
本実施形態では、第１加工設定部２１４Ａが有効化されると、枚数番号が印刷される領域外に原稿画像が印刷されるように原稿画像を縮小加工するので、枚数番号を印刷すべきスペースを確実に確保することができ、上記第１の解決課題を解決することができる。
【００６８】
ところで、記録シートの縦横比が√２：１である場合には、原稿画像を記録シートの片面に１ページ分印刷するときは勿論のこと、複数ページ印刷するときであっても、分割された各原稿画像の縦横比が記録シートの縦横比と同じ√２：１となる。したがって、原稿画像を本来印刷すべき位置から移動させる余地が少ない可能性が高く、枚数番号を印刷するスペースを確保することが難しい。
【００６９】
これに対して、本実施形態では、第３加工設定部２１４Ｃが有効化され、かつ、記録シートの縦横比が√２：１であるとは判定された場合には、原稿画像が自動的に縮小加工されるので、枚数番号を印刷するスペースを確実に確保することができる。
【００７０】
また、本実施形態では、第２加工設定部２１４Ｂが有効化されると、原稿画像を枚数番号が印刷される領域外に移動加工させて印刷するので、枚数番号を印刷すべきスペースを確実に確保することができ、上記第１の解決課題を解決することができる。
【００７１】
４．発明特定事項と実施形態との対応関係
本実施形態では、Ｓ９０が特許請求の範囲に記載された移動手段に相当する。
【００７２】
なお、上記の第２実施形態に係る説明では、図７の２１４Ｂの移動をチェックしたが、本実施形態はこれに限定されるものではなく、例えば移動するスペースがなかった場合、第１加工設定部２１４Ａや第３加工設定部２１４Ｃの縮小処理を行ってもよい。
【００７３】
（第３実施形態）
上述の実施形態では、枚数番号印刷が有効化されている場合には、常に枚数番号が記録シートに印刷されたが、本実施形態では、１枚の記録シートに印刷される画像が原稿画像の１ページ分である場合には、枚数番号印刷が有効化されている場合であっても、枚数番号の印刷を禁止する禁止手段を設けたことを特徴とするものである。
【００７４】
１．印刷制御
図９は、本実施形態において、利用者により原稿の印刷指令が発せられたときに起動される印刷制御フローの概略を示すフローチャートである。
【００７５】
例えば、アプリケーションソフトを介して原稿の印刷指令が発せられると、先ず、アプリケーションソフトにて作成された原稿画像に基づいて印刷データが作成された後（Ｓ１２０）、枚数番号印刷が有効化されているか否かが判定される（Ｓ１２５）。枚数番号印刷が有効化されているか否かは、印刷設定画面１００の枚数番号チェックボックス１０１（図２参照）がチェックされているか否かによって判定される。
【００７６】
そして、枚数番号印刷が有効化されていると判定された場合には（Ｓ１２５：ＹＥＳ）、記録シート１枚（片面）当たりに印刷される原稿画像が２ページ分以上であるか否かが判定される（Ｓ１３０）。
【００７７】
なお、記録シート片面当たりに印刷される原稿画像の数は、印刷設定画面１００の基本
設定（図２参照）が選択（クリック）されることにより表示される画面（図示せず）上にて設定することができ、この設定内容に基づいて、記録シート片面当たりに印刷される原稿画像が２ページ分以上であるか否かの判定がなされる。
【００７８】
このとき、記録シート片面当たりに印刷される原稿画像が２ページ分以上であると判定された場合には（Ｓ１３０：ＹＥＳ）、Ｓ１２０にて作成された印刷データに枚数番号が追加された印刷データが作成され（Ｓ１３５）、その枚数番号が追加された印刷データがプリンタ２０に送信される（Ｓ１４０）。
【００７９】
一方、記録シート片面当たりに印刷される原稿画像が２ページ分以上でないと判定された場合、つまり１枚の記録シート片面に印刷される画像が原稿画像の１ページ分であると判定された場合には（Ｓ１３０：ＮＯ）、原稿ページ番号の印刷が有効化されているか否かが判定される（Ｓ１４５）。
【００８０】
なお、原稿ページ番号印刷が有効化されているか否かは、印刷設定画面１００の原稿ページ番号チェックボックス１０３がチェックされているか否かによって判定される。
そして、原稿ページ番号の印刷が有効化されていないと判定された場合には（Ｓ１４５：ＮＯ）、Ｓ１２０にて作成された印刷データに枚数番号が追加された印刷データが作成され（Ｓ１３５）、その枚数番号が追加された印刷データがプリンタ２０に送信される（Ｓ１４０）。
【００８１】
一方、原稿ページ番号の印刷が有効化されていると判定された場合には（Ｓ１４５：ＹＥＳ）、枚数番号が追加されることなく、Ｓ１２０にて作成された印刷データがプリンタ２０に送信される（Ｓ１４０）。
【００８２】
なお、Ｓ１２５にて枚数番号印刷が有効化されていないと判定された場合には（Ｓ１２５：ＮＯ）、枚数番号が追加されることなく、Ｓ１２０にて作成された印刷データがプリンタ２０に送信される（Ｓ１４０）。
【００８３】
２．本実施形態に係る印刷制御システムの特徴
本実施形態では、１枚の記録シート片面に印刷される画像が原稿画像の１ページ分である場合には、枚数番号印刷が有効化されている場合であっても、枚数番号の印刷を禁止するので、枚数番号と原稿ページ番号とで同じ番号が同じ記録シートの複数箇所に印刷されることを回避することができる。したがって、無用な番号が印刷されてしまうことを防止できる。
【００８４】
また、本実施形態では、１枚の記録シート片面に印刷される画像が原稿画像の１ページ分である場合であっても、原稿ページ番号が印刷されないときには、枚数番号を印刷するので、原稿の枚数を示す番号が印刷されなくなってしまうことを未然に防止できる。
【００８５】
なお、本実施形態では、図９のＳ１４５を廃止しても本実施形態を実現することができることは当然である。
また、本実施形態において、プリンタ２０が両面印刷機構を有する場合、片面当たりに印刷される原稿画像が１ページであっても、両面印刷モードであれば、枚数番号と原稿ページ番号とが異なってくるので、図９のＳ１３０で記録シート片面当たりに印刷される原稿画像の数を判定する処理に合わせて、片面印刷が設定されているか両面印刷が設定されているかを判定する処理を行うことが望ましい。
【００８６】
（第４実施形態）
本実施形態は、原稿画像に含まれる文字のうち少なくとも１つの文字の書体と異なる書
体による枚数番号印刷を可能とする機能（以下、この機能を第１印刷機能という。）、及び原稿画像に含まれる文字のうち少なくとも１つの文字の色と異なる色により枚数番号印刷を可能とする機能（以下、この機能を第２印刷機能という。）を備えたものである。以下、表面に枚数番号を印刷する場合を例に本実施形態の詳細を説明する。
【００８７】
１．枚数番号の設定画面
図１０は本実施形態に係る枚数番号の設定画面２００の一例を示す図であり、本実施形態では、第１、２印刷機能を有効とするか否かを利用者が選択するためのフォント設定部２１５が設けられている。
【００８８】
そして、フォント設定部２１５のフォント設定がチェックされて第１、２印刷機能が有効化されると、第１、２印刷機能を詳細設定するための詳細設定ボタン２１５Ａが選択可能（有効化）とされ、詳細設定ボタン２１５Ａが選択されると、印刷番号を表す文字の書体及び色を設定するためのフォント設定画面４００（図１１参照）が表示される。
【００８９】
このとき、枚数番号を表す文字の書体及び色は、フォント設定画面４００を介して利用者が設定した内容となるので、仮に、利用者が原稿画像に含まれる文字と同一の書体及び同一の色を選択すると、実質的に第１、２印刷機能が有効的に機能しなくなる。
【００９０】
そこで、本実施形態では、利用者が原稿画像に含まれる文字と同一の書体及び同一の色を選択した状態でフォント設定画面４００のＯＫボタン４０１を選択した場合には、第１、２印刷機能が有効的に機能しなくなる旨の警告メッセージ、及び書体及び色のうち少なくとも一方の設定を変更すべき旨の警告メッセージが利用者に対して発せられる。
【００９１】
なお、利用者が原稿画像に含まれる文字と同一の書体又は同一の色を選択した状態でＯＫボタン４０１を選択した場合には、その設定内容が保存されて枚数番号が印刷されるが、例えば書体を原稿画像と同一として色を原稿画像と相違させた場合には第２印刷機能のみが実施されることとなり、色を原稿画像と同一として書体を原稿画像と相違させた場合には第１印刷機能のみが実施されることとなる。
【００９２】
利用者によってＯＫボタン４０１が選択されると、フォント設定画面４００が閉じられ、フォント設定画面４００にて設定された枚数番号の書体や色が、枚数番号の設定画面２００（図１０参照）の第１イメージ表示部２２１に反映される。
【００９３】
２．印刷制御
図１２は、本実施形態における利用者により原稿の印刷指令が発せられたときに起動される印刷制御の概略を示すフローチャートである。
【００９４】
例えば、アプリケーションソフトを介して原稿の印刷指令が発せられると、先ず、アプリケーションソフトにて作成された原稿画像に基づいて印刷データが作成された後（Ｓ１５０）、枚数番号印刷が有効化されているか否かが判定される（Ｓ１５５）。枚数番号印刷が有効化されているか否かは、印刷設定画面１００の枚数番号チェックボックス１０１（図２参照）がチェックされているか否かによって判定される。
【００９５】
そして、枚数番号印刷が有効化されていると判定された場合には（Ｓ１５５：ＹＥＳ）、フォント設定部２１５のフォント設定が選択されて第１、２印刷機能が有効化されているか否かが判定される（Ｓ１６０）。
【００９６】
このとき、フォント設定部２１５が選択されていると判定された場合には（Ｓ１６０：ＹＥＳ）、Ｓ１５０にて作成された印刷データに、フォント設定画面４００にて設定され
たフォントの枚数番号が追加された印刷データが作成された後（Ｓ１６５）、その枚数番号が追加された印刷データがプリンタ２０に送信される（Ｓ１７０）。
【００９７】
一方、フォント設定部２１５のフォント設定が選択されていないと判定された場合には（Ｓ１６０：ＮＯ）、Ｓ１５０にて作成された印刷データに、原稿画像と同一のフォント設定の枚数番号が追加された印刷データが作成された後（Ｓ１７５）、その枚数番号が追加された印刷データがプリンタ２０に送信される（Ｓ１７０）。
【００９８】
なお、Ｓ１５５にて枚数番号印刷が有効化されていないと判定された場合には（Ｓ１５５：ＮＯ）、枚数番号が追加されることなく、Ｓ１５０にて作成された印刷データがプリンタ２０に送信される（Ｓ１７０）。
【００９９】
３．本実施形態に係る印刷制御システムの特徴
本実施形態では、原稿画像に含まれる文字のうち少なくとも１つの文字の書体と異なる書体にて枚数番号を印刷することができるので、利用者は、記録シートに印刷された枚数番号と画像とを容易に区別するができる。
【０１００】
また、本実施形態では、原稿画像に含まれる文字のうち少なくとも１つの文字の色と異なる色にて枚数番号を印刷することができるので、利用者は、記録シートに印刷された枚数番号と画像とを容易に区別するができる。
【０１０１】
なお、本実施形態では、枚数番号の書体及び色を利用者が選択したが、本実施形態はこれに限定されるものではなく、例えばフォント設定部２１５のフォント設定が選択された場合に、自動的に、枚数番号の書体及び色のうち少なくとも一方が原稿画像に含まれる文字と異なるように設定されるようにしてもよい。
【０１０２】
（その他の実施形態）
本発明は、上述の実施形態に限定されるものではなく、第１〜４実施形態のうち少なくとも２つの実施形態を組み合わせてもよい。
【０１０３】
また、上述の実施形態では、プリンタドライバにて本願発明の特徴が全て実現されていたが、本発明はこれに限定されるものではなく、例えばプリンタ２０自体に本願発明の特徴を実現させるための手段を設けてもよい。
【０１０４】
また、本発明は、特許請求の範囲に記載された発明の趣旨に合致するものであればよく、上述の実施形態に限定されるものではない。
【符号の説明】
【０１０５】
１０…コンピュータ、１１…表示部、１２…操作部、２０…プリンタ、
２１…操作キー、２２…表示パネル、２３…印刷部、１００…印刷設定画面、
１０１…枚数番号チェックボックス、１０２…詳細設定ボタン、２００…設定画面、
２１０…位置設定部、２１０…置設定部、２１１…原稿ページ番号設定部、
２１２…第１設定部、２１３…第２設定部、２１４…加工設定部、
２１４Ａ…設定部、２１４Ａ…第１加工設定部、２１４Ｂ…第２加工設定部、
２１４Ｃ…第３加工設定部、２１５…フォント設定部、２１５Ａ…詳細設定ボタン、
２２０…イメージ表示部、２２１…第１イメージ表示部、
２２２…第２イメージ表示部、４００…フォント設定画面、４０１…ＯＫボタン。
【図１】
2010211812.tif 000003
【図２】
2010211812.tif 000004
【図３】
2010211812.tif 000005
【図４】
2010211812.tif 000006
【図５】
2010211812.tif 000007
【図６】
2010211812.tif 000008
【図７】
2010211812.tif 000009
【図８】
2010211812.tif 000010
【図９】
2010211812.tif 000011
【図１０】
2010211812.tif 000012
【図１１】
2010211812.tif 000013
【図１２】
2010211812.tif 000014